(57)【要約】      （修正有）【課題】新聞を保持する綴じ部材が有する弾力性による押圧を弱め、かつ新聞の記事が隠れないようにする新聞綴じ具を提供する。【解決手段】弾力性を有する綴じ部材１の下部に、新聞を綴じる細長く開口した挟持部５と、当該挟持部５の中央部分を切欠して形成する開放部６と、挟持部５の末端方向に横長状の楕円孔４，４ａを設け、さらに、綴じ部材１の後端開口部７に凸状に形成された保持部材８の中心点より偏心する位置に支持杆９の一端を設ける。【選択図】図４
0003192267.tif 000002
【実用新案登録請求の範囲】
【請求項１】
新聞が保持される綴じ部材の内部に、新聞を支える支持杆が形設さられた保持部材を備えた新聞綴じ具において、弾力性を有する綴じ部材に新聞を綴じる細長く開口された挟持部と、当該挟持部の中央部分を切欠して形成した開放部と、挟持部の末端方向に横長状の楕円孔を設け、綴じ込み部材の後端開口部に凸状保持部材の中心点より偏心した位置に支持杆の一端が設けられたことを特徴とする新聞綴じ具。
【考案の詳細な説明】
【技術分野】
【０００１】  本考案は、新聞綴じ部材の内部に新聞を吊下げる支持杆が設けられた新聞綴じ具において、綴じ部材が有する弾力性による押圧を弱め、さらに、新聞記事の一部が綴じ部材で読めないように塞ぐことを改善する新聞綴じ具に関するものである。
【背景技術】
【０００２】  従来、新聞の綴じ具は、新聞を支え保持するカバー部材の内部に支持部材の一端を埋設し、当該支持部材で支えられた新聞が、カバー部材の開口縁で挟持された状態で使用し閲覧に供されていた（例えば、特許文献１参照）。【０００３】  また、新聞を支える支持部材が、新聞を保持する把持部材内部の中央に水平方向に設けられた状態で、使用し閲覧に供されていた（例えば、特許文献２参照）。
【先行技術文献】
【特許文献】
【０００４】
【特許文献１】意匠登録第１４４３０６０号
【特許文献２】登録実用新案第３１６７０７８号
【考案の概要】
【考案が解決しようとする課題】
【０００５】  従来の新聞綴じ具は、新聞を保持するカバー部材が弾力性を有する樹脂製であるため、新聞を支える支持部材を介し、新聞はカバー部材に形成された細長く開口された開口縁で保持された状態で閲覧に供されている。しかし、上記支持部材で支える分厚い新聞の場合は、カバー部材が有する弾力性による押圧が開口縁に働くため、新聞の折り目に支持部材を差し込み難い問題があった。【０００６】  また、新聞を保持する把持部材の内部において、新聞を支える支持部材の一端が栓体の中心部に埋設されている。したがって、細長い支杆と新聞記事との間隔が開き過ぎるため、新聞記事の一部が新聞保持カバーで隠れて読み難い問題があった。【０００７】  本考案は、新聞を保持する綴じ部材が有する弾力性による押圧を弱め、かつ新聞綴じ具で新聞の記事が隠れないようにすることを目的とするものである。
【考案を解決するための手段】
【０００８】  本考案に係る新聞綴じ具は、弾力性を有する金属製又は樹脂製で成形される新聞綴じ具であって、新聞を保持する綴じ部材は全体的に細長く長方形状に形成される。綴じ部材の先端は傾斜縁で形成された差込み口である。なお、綴じ部材の上部長手方向に先端寄りに横長状の楕円孔を形成する。
【０００９】  前記綴じ部材の後端に開口部を形成し、当該開口部には新聞を支える支持杆の一端が設けられた保持部材を挿着する。支持杆の全長は綴じ部材と略同等であって、保持部材は凸状に形成されたものである。なお、保持部材を形成する凸状頂部の外周近傍に中心より偏心した位置に新聞を支える支持杆が設けられる。
【００１０】  前記綴じ部材の下部に、先端差込み口から後端まで新聞を綴じる細長く開口された挟持部を形成する。また、当該挟持部の中央部分が切欠して開放部が形成される。さらに、当該挟持部の末端方向に横長状の楕円孔を形成する。
【考案の効果】
【００１１】  本考案によれば、新聞を綴じ込む綴じ部材の下部において、新聞を綴じる挟持部の中央部分に形成された開放部と綴じ部材の末端方向に横長状楕円孔を形成したことにより、綴じ部材の挟持部分を少なくすることができる。したがって、綴じ部材が有する弾力性による押圧を弱め、支持杆を新聞の折り目に差し込み易く、綴じ部材の内部で新聞を容易に保持することができる。
【００１２】  また、綴じ部材の内部において、保持部材の凸状頂部に中心点より偏心した位置に新聞を支える支持杆を設けたことにより、当該支持杆と新聞記事との間隔を狭め、記事の一部が隠れることをなくすことができる。
【図面の簡単な説明】
【００１３】
【図１】本考案に係る綴じ具の外観を示す側面図である。
【図２】本考案に係る綴じ部材の上部を示す平面図である。
【図３】本考案に係る綴じ部材の下部を示す底面図である。
【図４】図２で示すＡ‐Ａ線断面図である。
【図５】本考案に係る綴じ部材の一部を拡大して示す横断面図である。
【考案を実施するための形態】
【００１４】  以下、本考案に係る新聞綴じ具の実施形態を、図面に基づいて説明する。
【００１５】  本考案は、弾力性を有する金属製又は樹脂製による新聞綴じ具であって、新聞を保持する当該綴じ具Ａは、細長く形成した所定形状の綴じ部材１と、当該綴じ部材１の内部において新聞を支える支持杆９と、当該支持杆９を設けた凸状保持部材８とで一体に構成されたものである。
【００１６】  図１及び図２で示すように、綴じ部材１の先端は傾斜縁３で縁取りされた差込み口２であって、当該差込み口２は新聞を取り込む案内口である。なお、当該差込み口２の上部長手方向の先端寄りに横長状の楕円孔４を形成する。
【００１７】  図３で示すように、綴じ部材１の下部には、先端差込み口２から後端まで細長く開口された挟持部５と、当該挟持部５の中央部分を切欠して形成される開放部６とを設ける。
【００１８】  さらに、前記綴じ部材１の後端は所定形状に形成された開口部７であって、当該開口部７には凸状に形成された保持部材８を挿着する。なお、当該保持部材８を形成する凸状頂部の外周近傍に中心点より偏心した位置に細長い支持杆９の一端を設ける。
【００１９】  なお、綴じ部材１の上部先端寄りに設けた横長状楕円孔４にさし指を差し入れ、綴じ部材１の内部に挿通された支持杆９を押さえると、新聞の折り目に支持杆９を差し込み易くすることができる。
【００２０】  前記支持杆９の先端を新聞の折り目に差し込み、綴じ部材１に形成された挟持部５の末端まで引き入れることにより、新聞は綴じ部材１の内部で保持された状態で閲覧に供することができる。
【符号の説明】
【００２１】  １  綴じ部材
２  差込み口
３  傾斜縁
４  横長状楕円孔
４ａ  横長状楕円孔
５  挟持部
６  開放部
７  開口部
８  保持部材
９  支持杆
Ａ  新聞綴じ具
【図１】
0003192267.tif 000003
【図２】
0003192267.tif 000004
【図３】
0003192267.tif 000005
【図４】
0003192267.tif 000006
【図５】
0003192267.tif 000007
【手続補正書】
【提出日】平成26年5月16日(2014.5.16)
【手続補正１】
【補正対象書類名】実用新案登録請求の範囲
【補正対象項目名】請求項１
【補正方法】変更
【補正の内容】
【請求項１】
新聞が保持される綴じ部材の内部に、新聞を支える支持杆が形設された保持部材を備えた新聞綴じ具において、弾力性を有する綴じ部材に新聞を綴じる細長く開口された挟持部と当該挟持部の末端方向に楕円孔を設け、さらに、挟持部の挟持部分よりも中央部分を長く切欠し形成した開放部を設けると共に、綴じ込み部材の開口部に挿着する保持部材の中心点より偏心した位置に、新聞を支える支持杆の一端が設けられたことを特徴とする新聞綴じ具。
【手続補正書】
【提出日】平成26年5月19日(2014.5.19)
【手続補正１】
【補正対象書類名】実用新案登録請求の範囲
【補正対象項目名】請求項１
【補正方法】変更
【補正の内容】
【請求項１】
新聞が保持される綴じ部材の内部に、新聞を支える支持杆が形設された保持部材を備えた新聞綴じ具において、弾力性を有する綴じ部材に新聞を綴じる細長く開口された挟持部と当該挟持部の末端方向に楕円孔を設け、さらに、挟持部の挟持部分よりも中央部分を長く切欠し形成する開放部を設けると共に、綴じ部材の開口部に挿着する保持部材の中心点より偏心する位置に、新聞を支える支持杆の一端を設けることを特徴とする新聞綴じ具。